(57)【要約】【課題】  予め定まった車載用機器の制御を簡単な操作で実行することができる車載用設定装置を提供することにある。【解決手段】  操作者が予め定めた所望の３つのカーエアコン１００およびカーオーディオ１１０の制御のそれぞれを行うための複数の設定情報が、それぞれ第１〜第３登録情報群として記憶されるとともに、フロントガラスの曇り止め（デフロスタ）を行うためのカーエアコンの制御に係る複数の設定情報がＤＥＦ登録情報群として記憶される登録情報記憶手段１２ｂと、この登録情報記憶手段１２ｂに記憶された第１〜第３登録情報群およびＤＥＦ登録情報群のそれぞれを設定情報群に置き換えて制御するようにマイコン１３に指令する第１〜第３登録キー１５〜１７およびＤＥＦキー１８とを備える。【選択図】  図２
2005162056.tif 000002
【特許請求の範囲】
【請求項１】
車載用機器の複数の設定項目のうちから所望の設定項目を選択するための設定項目選択手段と、この設定項目選択手段により選択した設定項目に係る設定情報を入力するための設定情報入力手段と、前記複数の設定項目のそれぞれに係る設定情報が記憶される設定情報記憶手段と、この設定情報記憶手段に記憶された複数の設定情報に従って前記車載用機器を制御する制御手段とを備える車載用設定装置であって、
複数の設定情報が登録情報群として記憶される登録情報記憶手段と、
前記制御手段に指令信号を出力する指令手段とを備え、
前記制御手段が前記指令信号に基づいて前記設定情報記憶手段に記憶された特定の設定情報を前記登録情報記憶手段に記憶された登録情報群から呼び出した特定の設定情報に置換することを特徴とする車載用設定装置。
【請求項２】
請求項１記載の発明において、
複数の任意の設定情報を登録情報群として入力するための登録情報入力手段を備えることを特徴とする車載用設定装置。
【請求項３】
請求項１記載の発明において、
前記車載用機器がカーエアコンであって、前記登録情報群が、外部から空気が取り入れられ、この空気の除湿を行う除湿装置が起動され、この除湿装置により除湿された空気がフロントガラスに向けて吹出され、吹出される空気の風量がゼロよりも大きい状態に係る複数の設定情報を前記登録情報記憶手段に記憶させてなることを特徴とする車載用設定装置。
【発明の詳細な説明】
【技術分野】
【０００１】
本発明は、車載用機器の複数の設定項目のそれぞれに係る設定情報を入力設定して、その入力設定した複数の設定情報に従って車載用機器の制御を実行する車載用設定装置に関する。
【背景技術】
【０００２】
従来の車載用設定装置には、車載用機器の複数の設定項目のそれぞれに係る設定情報を表示する表示手段と、前記複数の設定項目のうちから所望の設定項目を選択するための設定項目選択手段と、この設定項目選択手段により選択された設定項目に係る設定情報を入力するための設定情報入力手段と、前記複数の設定項目のそれぞれに係る設定情報が記憶される設定情報記憶手段と、この設定情報記憶手段に記憶された複数の設定情報に従って前記車載用機器および前記表示手段を制御する制御手段とを備える車載用設定装置がある。
【０００３】
車載用機器は、カーエアコンやカーオーディオである。設定項目選択手段および設定情報入力手段は、トラックボールスイッチまたはジョイスティックスイッチと、押ボタンスイッチとにより構成されている。
【０００４】
このように構成された従来の車載用設定装置は、各設定項目に係る設定情報を入力する際、操作者は、まず、複数の設定項目のうちから所望の設定項目を、設定項目選択手段により選択する。そして、選択した設定項目に係る設定情報を設定情報入力手段により入力する。入力された設定情報は、設定情報記憶手段に記憶され、設定情報の設定が完了する。そして、設定情報記憶手段に記憶された複数の設定情報に従って制御手段による車載用機器の制御が行われる。また、表示手段は、設定項目選択手段や設定情報入力手段の操作に応じて制御手段により制御され、設定中および設定が完了した設定情報を表示する。
【特許文献１】特願平１０−２４１５０２号公報
【発明の開示】
【発明が解決しようとする課題】
【０００５】
操作者は、各設定情報として日常的に同じものを入力設定して車載用機器の制御を実行することがある。例えば、冬にカーエアコンを使用する場合、日常的に、吹出口の設定情報として足元に送風を行うための吹出口（ＦＬＯＯＲ）を入力設定し、風量の設定情報として５段階のうちの２段目を入力設定し、温度の設定情報として１８℃を入力設定して、カーエアコンの制御を実行する、ということを行うことがある。つまり、従来の車載用設定装置では、このように予め定まったカーエアコンの制御を実行する場合でも、その制御を実行する前に毎回、その制御に係る３つの設定情報を入力設定する必要があり、これらの設定情報の入力設定を行うための操作が煩わしく、操作性が悪いという問題があった。
【０００６】
また、カーエアコンによりフロントガラスの曇り止め（以下「デフロスタ」ともいう）を行う場合、操作者は、デフロスタを行うためのカーエアコンの制御を実行する前に毎回、吹出口の設定情報としてフロントガラスに向かって送風を行う吹出口（以下「デフロスタ用吹出口」ともいう）を入力設定し、風量の設定情報として曇りが早く除去される風量または曇らない風量、例えば５段階の調節が可能であれば３段目を入力設定し、必要に応じて空気取入口として外気を使用するという設定情報を入力設定する。つまり、従来の車載用設定装置では、デフロスタという予め定まったカーエアコンの制御を実行する場合にも、その制御を実行する前に毎回、その制御に係る３つの設定情報を入力設定する必要があり、これらの設定情報の入力操作が煩わしく、操作性が悪いという問題があった。
【０００７】
本発明は、上述の実情を考慮してなされたものであり、予め定まった車載用機器の制御を簡単な操作で実行することができる車載用設定装置を提供することにある。
【課題を解決するための手段】
【０００８】
上述の目的を達成するために、本発明は、車載用機器の複数の設定項目のうちから所望の設定項目を選択するための設定項目選択手段と、この設定項目選択手段により選択した設定項目に係る設定情報を入力するための設定情報入力手段と、前記複数の設定項目のそれぞれに係る設定情報が記憶される設定情報記憶手段と、この設定情報記憶手段に記憶された複数の設定情報に従って前記車載用機器を制御する制御手段とを備える車載用設定装置であって、複数の設定情報が登録情報群として記憶される登録情報記憶手段と、前記制御手段に指令信号を出力する指令手段とを備え、前記制御手段が前記指令信号に基づいて前記設定情報記憶手段に記憶された特定の設定情報を前記登録情報記憶手段に記憶された登録情報群から呼び出した特定の設定情報に置換することを特徴とする。
【０００９】
このように構成した本発明では、複数の設定情報が登録情報群として記憶される登録情報記憶手段と、制御手段に指令信号を出力する指令手段とを備え、制御手段が指令信号に基づいて設定情報記憶手段に記憶された特定の設定情報を登録情報記憶手段に記憶された登録情報群から呼び出した特定の設定情報に置換する。これにより、指令手段を操作するだけで、予め定まった車載用機器の制御を実行することができる。この結果、予め定まった車載用機器の制御を簡単な操作で実行することができる。
【００１０】
また、本発明は、前記発明において、複数の任意の設定情報を登録情報群として入力するための登録情報入力手段を備えることを特徴とする。
【００１１】
このように構成した本発明では、操作者は登録情報入力手段を操作して複数の任意の設定情報を登録情報入力手段により入力すると、入力した複数の任意の設定情報が登録情報群として登録情報記憶手段に記憶される。そして、操作者が指令手段を操作して、制御手段に指令信号が出力されると、登録情報記憶手段に記憶された登録情報群、すなわち、複数の任意の設定情報に従って、車載用機器の制御が実行される。つまり、操作者は、自身が予め定めた所望の車載用機器の制御を、指令手段を操作するだけで実行することができる。この結果、操作者自身が予め定めた所望の車載用機器の制御を、簡単な操作で実行することができる。
【００１２】
また、本発明は、前記発明において、前記車載用機器がカーエアコンであって、前記登録情報群が、外部から空気が取り入れられ、この空気の除湿を行う除湿装置が起動され、この除湿装置により除湿された空気がフロントガラスに向けて吹出され、吹出される空気の風量がゼロよりも大きい状態に係る複数の設定情報を前記登録情報記憶手段に記憶させてなることを特徴とする。
【００１３】
このように構成した本発明では、操作者は、指令手段を操作するだけで、外部から空気が取り入れられ、この空気の除湿を行う除湿装置が起動され、この除湿装置により除湿された空気がフロントガラスに向けて吹出され、吹出される空気の風量がゼロよりも大きい状態となるように、すなわち、ガラスの曇り止めが行われるように、カーエアコンの制御を実行することができる。この結果、予め定まったガラスの曇り止めを行うためのカーエアコンの制御を簡単な操作で実行することができる。
【発明の効果】
【００１４】
以上で説明したように、本発明では、指令手段を操作するだけで、予め定まった車載用機器の制御を実行することができ、これにより、予め定まった車載用機器の制御を簡単な操作で実行することができる。この結果、車載用設定装置の操作性の向上に貢献できる。
【発明を実施するための最良の形態】
【００１５】
図１は、本発明の一実施形態の外観の正面図であって液晶ディスプレイにＴＯＰ画面が表示された状態を示す図、図２は、本発明の車載用設定装置の一実施形態の構成を示すブロック図、図３は、本発明の一実施形態の設定入力操作を説明する図、図４は、本発明の一実施形態の外観の正面図であって液晶ディスプレイに登録画面が表示された状態を示す図である。
【００１６】
本実施形態は、車載用機器、例えばカーエアコン１００およびカーオーディオ１１０の複数の設定項目のそれぞれに係る設定情報を入力設定するための車載用設定装置であり、図１，２に示すように構成してある。
【００１７】
本実施形態は、カーエアコン１００の複数の設定項目のそれぞれに係る設定情報、および、カーオーディオ１１０の複数の設定項目それぞれに係る設定情報を表示する液晶ディスプレイ（ＬＣＤ）１を備えている。この液晶ディスプレイ１の上段には、図１に示すように、カーオーディオ１１０の複数、例えば５つの設定項目と、これらの設定情報のそれぞれに係る設定情報とを表示するようにしてある。また、液晶ディスプレイ１の下段には、カーエアコン１００の複数、例えば３つの設定項目と、これらの設定項目のそれぞれの設定情報を表示するようにしてある。
【００１８】
カーオーディオ１１０の５つの設定項目とは、機器（音源）の種類、ＣＤのトラック、ＡＭラジオのチャンネル、ＦＭラジオのチャンネル、および、音量である。機器の種類に係る設定情報とは、設定されている機器の種類、すなわちＣＤプレイヤ、ＡＭラジオおよびＦＭラジオのいずれに設定されているかということである（以下「機器設定情報」ともいう）。ＣＤのトラックに係る設定情報とは、ＣＤの何番目のトラックに設定されているかということである（以下「トラック設定情報」ともいう）。ＡＭラジオのチャンネルに係る設定情報とは、ＡＭラジオの何チャンネルに設定されているかということである（以下「ＡＭチャンネル設定情報」ともいう）。ＦＭラジオのチャンネルに係る設定情報とは、ＦＭラジオの何チャンネルに設定されているかということである（以下「ＦＭチャンネル設定情報」ともいう）。音量に係る設定情報とは、設定されている音量である（以下「音量設定情報」ともいう）。
【００１９】
そして、液晶ディスプレイ１の上段の上部には、機器設定情報を表示する欄２であることを示す「ＳＯＵＲＣＥ」、トラック設定情報、ＡＭチャンネル設定情報またはＦＭチャンネル設定情報を表示する欄３であることを示す「ＴＲＡＣＫ／ＳＴＡＴＩＯＮ」、および、音量設定情報を表示する欄４であることを示す「ＶＯＬ」を表示するようにしてある。
【００２０】
「ＳＯＵＲＣＥ」の欄２では、機器設定情報がＣＤプレイヤのときに「ＣＤ」と表示し、機器設定情報がＡＭラジオのときに「ＡＭ」、機器設定情報がＦＭラジオのときに「ＦＭ」というように、機器設定情報をアルファベット２０により表示するようにしてある。
【００２１】
「ＴＲＡＣＫ／ＳＴＡＴＩＯＮ」の欄３では、トラック設定情報、ＡＭチャンネル設定情報、またはＦＭチャンネル設定情報を、数字３０で表示するようにしてある。また、「ＶＯＬ」の欄４には、音量設定情報、例えば音量が３０段階のうちの何段目に設定されているかを図形４０によって表示するようにしてある。
【００２２】
「ＶＯＬ」の欄４に表示される図形４０は、右側に位置するバーほど長い２９本のバー４１と、これらのバー４１の下端が配置される横線４２とから構成してある。この図形４０では、音量が０のときはどのバー４１も発色せず、音量が大きくなると左から右へと発色するバー４１の数が増加するようになっている。つまり、設定された音量が、バー４１の長さと発色するバー４１の数から認識できるようになっている。図１では、音量設定情報が、３０段階のうちの１０段目であることを示してある。
【００２３】
カーエアコン１００の３つの設定項目とは、吹出口と風量と温度である。吹出口に係る設定情報とは、設定された吹出口（以下「吹出口設定情報」ともいう）、すなわち、運転者の上半身に向かって送風するための吹出口（ＶＥＮＴ）、足元への送風するための吹出口（ＦＬＯＯＲ）、ＶＥＮＴとＦＬＯＯＲの組み合わせ（ＢＩ−ＬＥＶＥＬ）、曇り止めのためにフロントガラスに向かって送風を行うデフロスタ用吹出口（ＤＥＦ）、および、ＦＬＯＯＲとＤＥＦの組み合わせ（ＤＥＦ−ＦＬＯＯＲ）のいずれに設定されたかということである。風量に係る設定情報とは、設定された風量である（以下「風量設定情報」ともいう）。温度に係る設定情報とは、設定された温度である（以下「温度設定情報」ともいう）。
【００２４】
そして、液晶ディスプレイ１の下段の上部には、吹出口設定情報を表示する欄５であることを示す「ＭＯＤＥ」、風量設定情報を表示する欄６であることを示す「ＦＡＮ」、温度設定情報を表示する欄７であることを示す「ＴＥＭＰ」を表示するようにしてある。
【００２５】
「ＭＯＤＥ」の欄５では、吹出口設定情報を図形５０によって表示するようにしてある。「ＦＡＮ」の欄６では、風量設定情報、例えば風量が５段階のうちの何段目に設定されたかを図形６０によって表示するようにしてある。「ＴＥＭＰ」の欄７では、温度設定情報をを数字７０で表示するようにしてある。
【００２６】
「ＭＯＤＥ」の欄５に表示される図形５０は、座席に座った運転者を模式化した人型の図形５１と、ＦＬＯＯＲを示す矢印５２と、ＶＥＮＴを示す矢印５３と、ＤＥＦを示す矢印５４とにより構成してある。このように構成した図形５０では、人型の図形５１が常時発色しており、３つの矢印５２〜５４のうちのいずれが発色するかによって、吹出口設定情報を表示するようにしてある。図１では、矢印５２，５３が発色しており、これにより、吹出口設定情報がＶＥＮＴとＦＬＯＯＲの組み合わせ、すなわちＢＩ−ＬＥＶＥＬであることを示している。
【００２７】
「ＦＡＮ」の欄６に表示される図形６０は、中央に位置するファンを模式化したファン型の図形６１と、このファン型の図形６１の周囲に配置される数字「０」〜「５」と、「０」と「１」の間、「１」と「２」の間、「２」と「３」の間、「３」と「４」の間、および「４」と「５」の間のそれぞれに配置されるバー６２〜６６とから構成してある。このように構成した図形６０では、ファン型の図形６１と「０」〜「５」のすべてが常時発色しており、風量が１段目に設定されたときには「０」と「１」の間のバー６２が発色し、風量が２段目に設定されたときには「０」と「１」の間のバー６３と、「１」と「２」の間のバー６４が発色するというように、バー６２〜６６の発色により風量設定情報を表示するようにしてある。図１では、風量設定情報が５段階のうちの２段目であることを示している。
【００２８】
また、カーエアコンの４つ目の設定項目として空気取入口がある。空気取入口に係る設定情報とは、取り入れる空気が外気か内気かのいずれに設定されたかということである（以下「空気取入口設定情報」ともいう）。この空気取入口情報は、パネル２５の左下に設けた図柄のある照光式のレックフレッシュ切替キー１９により表示するようにしてある。つまり空気取入口設定情報が内気に設定されていることが、レックフレッシュ切替キー１９の点灯によって示され、外気に設定されていることが、レックフレッシュ切替キー１９の消灯によって示されるようにしてある。このレックフレッシュ切替キー１９をパネル２５に設けたのは、トンネルに入るときなどに、即座に外気の取入れから内気の取入れに切り換えられるようにするためである。
【００２９】
なお、カーエアコン１００は、室温が温度設定情報より低いときに、暖房機能が自動的に作動し、室温が温度設定情報よりも高いときに冷房機能が自動的に作動するようにしてある。つまり、冷房機能および暖房機能は、設定項目ではないので、表示しないようにしてある。また、本実施形態においては、風量が「０」よりも大きいときに、自動的に除湿が起動するようになっている。
【００３０】
また、本実施形態は、カーエアコン１００およびカーオーディオ１１０の複数の設定項目のうちから所望の設定項目を選択するための設定項目選択手段と、この設定項目選択手段により選択した設定項目に係る設定情報を入力するための設定情報入力手段とを備えている。これら設定項目選択手段と設定情報入力手段は、回転操作および押圧操作されるノブ８と、このノブ８の回転角を検出して回転角信号を出力するロータリエンコーダ９と、ノブ８の押圧操作を検出して押圧信号を出力する検出スイッチ１０とから構成してある。
【００３１】
また、本実施形態は、ノブ８の左斜め上方に設けられ、設定情報の入力設定を開始する旨の入力設定開始信号を後述するマイコン１３に出力するＴＯＰキー１１を備えている。
【００３２】
また、本実施形態は、複数の設定項目のそれぞれに係る設定情報が記憶される設定情報記憶手段１２ａを備えている。設定情報記憶手段１２ａは、消去／書き込みが可能な記憶手段、例えばＥＥＰＲＯＭ１２に含ませてある。設定情報記憶手段１２ａは、消去／書き込みが可能な記憶手段であればよく、したがって、ＥＥＰＲＯＭ１２に替えてフラッシュメモリに含ませてもよい。
【００３３】
また、本実施形態は、設定情報記憶手段１２ａに記憶された複数の設定情報に従って、液晶ディスプレイ１、カーエコン１００およびカーオーディオ１１０を制御する制御手段を備えている。この制御手段は、マイコン１３である。マイコン１３には、演算処理を行うＣＰＵ１３ａと、制御プログラムが記憶されるＲＯＭ１３ｂとを備えている。また、マイコン１３には、ＣＰＵ１３ａの演算領域となるＲＡＭ１４が接続されている。また、マイコン１３には、カーエアコン１００に含まれるカーエアコン用コントローラ１０１と、カーオーディオ１１０に含まれるカーオーディオ用コントローラ１１１とに接続してある。カーエアコン用コントローラ１０１は、マイコン１３からの制御信号に応じて、吹出口の切換、風量の調節、温度の調節、および空気取入口の切替のそれぞれを行うための各種作動部（以下、これらを総称して「カーエアコン作動部１０２」という）を制御するものである。また、カーオーディオ用コントローラ１１１は、マイコン１３からの制御信号に応じて、機器の切換、ＣＤプレイヤの駆動、ＡＭラジオの駆動、ＦＭラジオの駆動、および音量の調節のそれぞれを行うための各種作動部（以下、これらを総称して「カーオーディオ作動部１１２」という）を制御するものである。
【００３４】
特に、本実施形態は、予め定まった車載用機器の制御を行うための複数の設定情報が、登録情報群として記憶される登録情報記憶手段１２ｂを備えている。この登録情報記憶手段１２ｂは、前記ＥＥＰＲＯＭ１２に含ませてある。
【００３５】
前記予め定まった車載用機器の制御には、２種類ある。１つは、操作者の所望により予め定めたカーエアコン１００およびカーオーディオ１１０の制御である。この制御を行うための登録情報群とは、操作者が所望するカーエアコン１００の制御を行うための３つの設定情報、および、操作者が所望するカーオーディオ１１０の制御を行うための５つの設定情報を、前記登録情報記憶手段１２ｂに記憶させたものである。なお、登録情報記憶手段１２ｂでは、操作者が所望する制御を行うための登録情報群として、異なる３つの制御を行うための第１〜第３登録情報群を記憶可能にしてある。
【００３６】
もう１つの予め定まった車載用機器の制御は、フロントガラスの曇り止め（デフロスタ）を行うためのカーエアコン１００の制御である。このデフロスタを行うための登録情報群（以下「ＤＥＦ登録情報群」という）は、吹出口設定情報としてデフロスタ用吹出口、風量設定情報としてが曇りが早く除去される風量または曇らない風量、例えば５段階のうちの３段目、および、空気取入口設定情報として外気を使用するという設定情報を、製造段階において、登録情報記憶手段１２ｂに記憶させたものである。
【００３７】
また、本実施形態は、設定情報記憶手段１２ａに記憶された特定の設定情報を、登録情報記憶手段１２ｂに記憶された第１登録情報群から呼び出した特定の設定情報に置換する処理をマイコン１３に実行させる指令信号をマイコン１３に出力する指令手段、すなわち、第１登録キー１５を備えている。また、設定情報記憶手段１２ａに記憶された特定の設定情報を、第２登録情報群から呼び出した特定の設定情報に置換する処理をマイコン１３に実行させる指令信号をマイコン１３に出力する指令手段、すなわち、第２登録キー１６を備えている。また、設定情報記憶手段１２ａに記憶された特定の設定情報を、第３登録情報群から呼び出した特定の設定情報に置換する処理をマイコン１３に実行させる指令信号をマイコン１３に出力する指令手段、すなわち、第３登録キー１７を備えている。
【００３８】
また、本実施形態では、設定情報記憶手段１２ａに記憶された特定の設定情報を、登録情報記憶手段１２ｂに記憶されたＤＥＦ登録情報群から呼び出した設定情報に置換する処理をマイコン１３に実行させる指令信号をマイコン１３に出力する指令手段、すなわち、ＤＥＦキー１８を備えている。
【００３９】
また、本実施形態は、操作者が所望する車載用機器の制御を行うための設定情報を、登録情報として入力するための登録情報入力手段を備えている。この登録情報入力手段は、ノブ８、ロータリエンコーダ９および検出スイッチ１０から構成してある。つまり、ノブ８、ロータリエンコーダ９および検出スイッチ１０は、前記設定項目選択手段、前記設定情報入力手段であるとともに、登録情報入力手段でもある。
【００４０】
また、本実施形態では、前記第１〜第３登録キー１５〜１７のぞれぞれが、第１〜第３登録情報群のそれぞれの入力設定を開始する旨の登録開始信号を入力する手段としても機能するようにしてある。
【００４１】
このように構成した本実施形態の操作、およびその操作の際の動作を説明する。
【００４２】
＜設定情報の入力操作＞
はじめに、本実施形態における設定情報の入力操作、および、この操作の際の本実施形態実の動作について図３を用いて説明する。
【００４３】
はじめに、液晶ディスプレイ１には、図１に示すＴＯＰ画面１ａが表示されている。操作者は、設定情報を入力する際、ＴＯＰ画面１ａが表示されている状態で、まず、図３に示すように、ＴＯＰキー１１を押圧操作する（ＳＴＥＰ１）。すると、ＴＯＰキー１１からマイコン１３に押圧信号が出力される。マイコン１３では、ＴＯＰ画面１ａが表示された状態で押圧信号が入力されたことから、この押圧信号が入力設定開始信号であると判断され、この判断結果に基づく液晶ディスプレイ１の制御が行われる。これにより、ＴＯＰ画面１ａが、ＴＯＰ画面１ａの上段全体が点滅する画面に切り換わる。すなわち、「ＳＯＵＲＣＥ」の欄２、「ＴＲＡＣＫ／ＳＴＡＴＩＯＮ」の欄３、および「ＶＯＬ」の欄４が、すべて点滅する。
【００４４】
次に、操作者は、ノブ８を回転操作する。すると、ロータリエンコーダ９からマイコン１３に回転角信号が出力される。マイコン１３では回転角信号に応じて液晶ディスプレイ１の制御が行われ、これにより、画面がＴＯＰ画面１ａの下段全体が点滅する画面に切り換わる。すなわち、「ＭＯＤＥ」の欄５、「ＦＡＮ」の欄６、および、「ＴＥＭＰ」の欄７が、すべて点滅する。
【００４５】
つまり、操作者は、カーオーディオ１１０の設定情報を入力するのであれば、ＴＯＰ画面１ａの上段が点灯するようにノブ８を回転操作し、カーエアコン１００の設定情報を入力するのであれば、ＴＯＰ画面１ａの下段が点滅するようにノブ８を回転操作する（ＳＴＥＰ２）。今は、例えばＴＯＰ画面１ａの下段を点滅させる。すなわち、カーエアコン１００の設定情報を変更することを選択する。
【００４６】
次に、操作者は、選択を確定するためにノブ８を押圧操作する（ＳＴＥＰ３）。すると、検出スイッチ１０からマイコン１３に押圧信号、すなわち、選択の確定を指示する確定指示信号が出力される。マイコン１３ではこの確定指示信号に応じて、選択を確定する処理が行われるとともに、液晶ディスプレイ１の制御が行われ、これにより、カーエアコン１００の「ＭＯＤＥ」の欄５のうちの「ＭＯＤＥ」の文字のみが点滅する画面に切り換わる。
【００４７】
次に、操作者は、ノブ８を回転操作する。すると、ロータリエンコーダ９からマイコン１３に回転角信号が出力される。マイコン１３では回転角信号に応じて液晶ディスプレイ１の制御が行われ、これにより、ノブ８の回転角に応じて、「ＭＯＤＥ」の文字のみが点滅する画面から、「ＦＡＮ」の文字のみが点滅する画面、または「ＴＥＭＰ」の文字のみ点滅する画面に切り換わる。
【００４８】
つまり、操作者は、吹出口設定情報を入力するのであれば「ＭＯＤＥ」の文字みが点滅するようにノブ８を回転操作し、風量設定情報を入力するのであれば「ＦＡＮ」の文字のみが点滅するようにノブ８を回転操作し、温度設定情報を入力するのであれば「ＴＥＭＰ」の文字のみが点滅するようにノブ８を回転操作する（ＳＴＥＰ４）。今は、例えば「ＭＯＤＥ」の文字のみを点滅させる。すなわち、吹出口設定情報を入力することを選択する。
【００４９】
次に、操作者は、選択を確定するためにノブ８を押圧操作する（ＳＴＥＰ５）。すると、検出スイッチ１０からマイコン１３に押圧信号（確定指示信号）が出力される。マイコン１３ではこの押圧信号に応じて選択を確定する処理が行われるとともに、液晶ディスプレイ１の制御が行われ、これにより、吹出口設定情報を入力可能な画面に切り換わる。このとき、吹出口設定情報を示す図形５０全体が、前回の吹出口設定情報を示した状態で、例えばＢＩ−ＬＥＶＥＬを示す２つの矢印５３，５４が発色した状態で、点滅する。
【００５０】
次に、操作者は、ノブ８を回転操作する。すると、ロータリエンコーダ９からマイコン１３に回転角信号が出力される。マイコン１３では回転角信号に応じて、液晶ディスプレイ１の制御が行われ、これにより、ノブ８の回転角に応じて、吹出口設定情報を示す図形５０がＢＩ−ＬＥＶＥＬを示した状態から、ＶＥＮＴ（矢印５３のみの発色）、ＦＬＯＯＲ（矢印５２のみの発色）、またはＤＥＦ−ＦＬＯＯＲ（矢印５２，５４の発色）を示す状態に切り換わって点滅する。
【００５１】
つまり、操作者は、吹出口設定情報を示す図形５０が所望の吹出口設定情報を示した状態で点滅するようにノブ８を回転操作する（ＳＴＥＰ６）。すなわち、所望の吹出口設定情報を選択する。
【００５２】
最後に、操作者は、選択を確定するためにノブ８を押圧操作する（ＳＴＥＰ７）。すると、検出スイッチ１０からマイコン１３に押圧信号（確定指示信号）が出力される。マイコン１３ではこの押圧信号に応じて、選択された吹出口設定情報を確定する処理が行われ、確定された吹出口設定情報をＥＥＰＲＯＭ１２の設定情報記憶手段１２ａに記憶する処理が行われる。すなわち、設定情報記憶手段１２ａに記憶されていた前回の吹出口設定情報が消去されて、今回確定された吹出口設定情報が書き込まれ、吹出口設定情報の入力設定が完了する。そして、マイコン１３では、液晶ディスプレイ１の制御が行われ、これにより、今回の入力設定された吹出口設定情報を表示するＴＯＰ画面に切り換わる。
【００５３】
このようにして吹出口設定情報の入力設定が完了すると、マイコン１３により、今回入力設定された吹出口設定情報に従って、カーエアコン用コントローラ１０１に制御信号が出力され、これにより、カーエアコン作動部１０２の制御が実行される。
【００５４】
なお、カーエアコン１００の別の設定情報を入力する場合やカーオーディオ１１０の設定情報を入力する場合の入力操作、および、これらの場合のマイコン１３の動作は、上述した吹出口設定情報を入力する場合と同様なので、説明を省略する。
【００５５】
＜登録情報の入力操作＞
次に、本実施形態における登録情報の入力操作、例えば第１登録情報群の入力操作、および、この操作の際の本実施形態の動作について説明する。
【００５６】
第１登録情報群を入力する際、操作者は、まず、第１登録キー１５を例えば５秒、長押操作する。すると、検出スイッチ１０からマイコン１３に５秒間押圧信号が入力され続ける。マイコン１３では、ＴＯＰ画面１ａが表示された状態で押圧信号が５秒間入力され続けたことが、この押圧信号が登録開始信号であると判断され、この判断に基づいて液晶ディスプレイ１の制御が行われる。これにより、ＴＯＰ画面１ａが図４に示す登録画面１ｂに切り換わる。
【００５７】
この登録画面１ｂの上段には、カーエアコン１００の登録情報群に関する欄であることを示す「Ａ／Ｃ」が表示されるようにしてある。この「Ａ／Ｃ」の欄の１行目には、吹出口に関する行であることを示す「ＭＯＤＥ」と、第１登録キー１５の押圧操作により吹出口設定情報を吹出口登録情報に変更（吹出口登録情報に置換）しないかするかの選択を行うための「しない」および「する」と、吹出口登録情報を示すための図形８１〜８４とを表示してある。「Ａ／Ｃ」の欄の２行目には、風量に関する行であることを示す「ＦＡＮ」と、第１登録キー１５の押圧操作により風量設定情報を風量登録情報に変更（風量登録情報に置換）しないかするかの選択を行うための「しない」および「する」と、風量登録情報を示すための「ＯＦＦ」および「１」〜「５」とを表示してある。「Ａ／Ｃ」の欄の３行目には、温度に関する行であることを示す「ＴＥＭＰ」と、第１登録キー１５の押圧操作により温度設定情報を温度登録情報に変更（温度登録情報に置換）しないかするかの選択を行うための「しない」および「する」と、温度登録情報を示す数字とを表示してある。
【００５８】
また、登録画面１ｂの下段には、カーオーディオ１１０の登録情報群に関する欄であることを示す「ＡＵＤＩＯ」が表示されるようにしてある。この「ＡＵＤＩＯ」の欄の１行目には、機器の種類に関する行であることを示す「ＳＯＵＲＣＥ」と、第１登録キー１５の押圧操作により機器設定情報を機器登録情報に変更（機器登録情報に置換）しないかするかの選択を行うための「しない」および「する」と、機器登録情報を示すアルファベット、すなわち「ＡＭ」、「ＦＭ」および「ＣＤ」とを表示してある。「ＡＵＤＩＯ」の欄の２行目には、ＣＤのトラックに関する行であることを示す「ＴＲＡＣＫ」と、第１登録キー１５の押圧操作によりトラック設定情報をトラック登録情報に変更（トラック登録情報に置換）しないかするかの選択を行うための「しない」および「する」と、トラック登録情報を示す数字とを表示してある。「ＡＵＤＩＯ」の欄の３行目には、ラジオのチャンネルに関する行であることを示す「ＳＴＡＴＩＯＮ」と、第１登録キー１５の押圧操作によりチャンネル設定情報をチャンネル登録情報に変更（チャンネル登録情報に置換）しないかするかの選択を行うための「しない」および「する」と、チャンネル登録情報を示す数字とを表示してある。「ＡＵＤＩＯ」の欄の４行目には、音量に関する行であることを示す「ＶＯＬＵＭＥ」と、第１登録キー１５の押圧操作により音量設定情報を音量登録情報に変更（音量登録情報に置換）しないかするかの選択を行うための「しない」および「する」と、音量登録情報を示す数字とが表示してある。
【００５９】
このように構成した登録画面１ｂは、ＴＯＰ画面１ａから切り換わった当初、前記各行に前回登録した登録情報が表示され、「ＭＯＤＥ」が点滅した状態である。この状態で、操作者は、ノブ８を回転操作する。すると、ロータリエンコーダ９からマイコン１３に回転角信号が出力される。マイコン１３では回転角信号に応じて液晶ディスプレイ１の制御が行われ、これにより、ノブ８の回転角に応じて、「ＭＯＤＥ」が点滅する画面から、「ＦＡＮ」が点滅する画面、「ＴＥＭＰ」が点滅する画面・・・「ＶＯＬＵＭＥ」が点滅する画面へに切り換わる。
【００６０】
操作者は、例えば「ＭＯＤＥ」を選択する場合、画面を「ＭＯＤＥ」が点滅した状態にしたのち、「ＭＯＤＥ」の選択を確定するためにノブ８を押圧操作する。すると、検出スイッチ１０からマイコン１３に押圧信号（確定指示信号）が出力される。マイコン１３では押圧信号に応じて、選択を確定する処理が行われるとともに、液晶ディスプレイ１の制御が行われ、これにより、前回登録された「する」が点滅する。
【００６１】
次に、操作者は、ノブ８を回転操作する。すると、ロータリエンコーダ９からマイコン１３に回転角信号が出力される。マイコン１３では回転角信号に応じて液晶ディスプレイ１の制御が行われ、これにより、ノブ８の回転角に応じて、「しない」と「する」の点滅が切り換わる。
【００６２】
操作者は、第１登録キー１５を押圧操作したときに吹出口設定情報が吹出口登録情報に置換されるようにする場合、「する」が点滅した状態で、ノブ８を押圧操作する。すると、検出スイッチ１０からマイコン１３に押圧信号（確定指示信号）が出力される。マイコン１３ではこの押圧信号に応じて、第１登録キー１５を押圧操作したときに吹出口設定情報が吹出口登録情報に置換されるようにすることを確定する処理を行い、この確定内容をＥＥＰＲＯＭ１２の登録情報記憶手段１２ｂに記憶する処理が行われる。また、このとき、マイコン１３では、液晶ディスプレイ１の制御も行われ、これにより、前回登録された吹出口設定情報、例えばＢＩ−ＬＥＶＥＬを示す図形８２が点滅する画面に切り換わる。
【００６３】
次に、操作者は、ノブ８を回転操作する。すると、ロータリエンコーダ９からマイコン１３に回転角信号が出力される。マイコン１３では回転角信号に応じて液晶ディスプレイ１の制御が行われ、これにより、ノブ８の回転角に応じて、ＢＩ−ＬＥＶＥＬを示す図形８２が点滅する画面から、ＶＥＮＴを示す図形８１、ＦＬＯＯＲを示す図形８３、またはＤＥＦ−ＦＬＯＯＲを示す図形８４が点滅する画面に切り換わる。
【００６４】
つまり、操作者は、前回登録した吹出口登録情報をＶＥＮＴに変更するのであればＶＥＮＴを示す図形８１が点滅するようにノブ８を回転操作し、ＦＬＯＯＲに変更するのであればＦＬＯＯＲを示す図形８３が点滅するようにノブ８を回転操作し、ＤＥＦ−ＦＬＯＯＲに変更するのであればＤＥＦ−ＦＬＯＯＲを示す図形８４が点滅するようにノブ８を回転操作する。すなわち、図形８１，８３，８４のうちから所望の吹出口登録情報を選択する。
【００６５】
次に、操作者は、選択を確定するために、ノブ８を押圧操作する。すると、検出スイッチ１０からマイコン１３に押圧信号（確定指示信号）が出力される。マイコン１３ではこの押圧信号に応じて、選択された吹出口登録情報を確定する処理が行われ、確定された吹出口登録情報をＥＥＰＲＯＭ１２の登録情報記憶手段１２ｂに記憶する処理が行われる。すなわち、登録情報記憶手段１２ｂに記憶されていた前回の吹出口登録情報が消去されて、今回確定された吹出口登録情報が書き込まれ、吹出口登録情報の入力設定が完了する。
【００６６】
このようにして吹出口登録情報の入力設定を完了すると、すなわち、「ＭＯＤＥ」の行で図形８１〜８４のいずれか１つを選択し確定すると、マイコン１３では吹出口登録情報に関する入力操作が終了したと判断され、この判断に基づいて液晶ディスプレイ１の制御が行われる。これにより、「ＭＯＤＥ」の次の行、すなわち、「ＦＡＮ」が点滅する画面に切り換わる。
【００６７】
また、「ＭＯＤＥ」の行で「しない」を選択して確定し場合も、マイコン１３では吹出口登録情報に関する入力操作が終了したと判断され、これにより、「ＦＡＮ」が点滅する画面に切り換わるように液晶ディスプレイ１の制御が行われる。
【００６８】
「ＭＯＤＥ」以外の行についても、上述と同様にノブ８による入力操作を行うことにより、マイコン１３による液晶ディスプレイ１の制御、および、入力設定された登録情報の登録情報記憶手段１２ｂへの書き込みが、上述と同様に行われる。
【００６９】
なお、「ＭＯＤＥ」の行から「ＶＯＬＵＭＥ」の行まで順に、すべての行についての入力操作が終了すると、マイコン１３では、入力操作が終了したと判断され、この判断に基づき、液晶ディスプレイ１が制御されて、登録画面１ｂからＴＯＰ画面１ａに切り換わり、第１登録情報群の変更が完了する。
【００７０】
また、「ＭＯＤＥ」の行から「ＶＯＬＵＭＥ」の行のいずれかについての入力操作のみを行って終了する場合には、入力操作が終了したときにノブ８を長押操作する。マイコン１３では、ノブ８の押され続けた時間が計測され、３秒経ったら入力操作が終了したと判断され、この判断に基づき、液晶ディスプレイ１が制御されて、登録画面１ｂからＴＯＰ画面１ａに切り換わり、第１登録情報群の変更が完了する。
【００７１】
なお、第１登録情報の変更が完了してＴＯＰ画面１ａに切り換わったときは、今回登録された第１登録情報群は表示されない。第１登録情報群がＴＯＰ画面１ａに表示されるのは、第１登録キー１５が押圧操作されて、第１登録情報群に従った制御が実行されるときである。
【００７２】
また、第２登録情報群および第３登録情報群を入力設定する場合の入力操作、および、この入力操作の際のマイコン１３の動作は、上述した第１登録情報群を入力設定する場合と同様なので、説明を省略する。
【００７３】
本実施形態では、次の効果が得られる。
【００７４】
本実施形態では、操作者自身が予め定めた車載用機器の所望の制御を行うための複数の設定情報が、登録情報群として記憶される登録情報記憶手段１２ｂと、マイコン１３に指令信号を出力する第１〜第３登録キー１５〜１７とを備え、マイコン１３が指令信号に基づいて設定情報記憶手段１２ａに記憶された特定の設定情報を登録情報記憶手段１２ｂに記憶された登録情報から呼び出した特定の設定情報に置換する。つまり、第１〜第３登録キー１５〜１７のそれぞれを押圧操作するだけで、操作者自身が予め定めた３つの所望の制御のそれぞれを実行することができる。これにより、操作者自身が予め定めた３つの所望の制御のそれぞれを簡単な操作で実行することができる。この結果、車載用設定装置の操作性の向上に貢献できる。
【００７５】
本実施形態は、吹出口設定情報としてデフロスタ用吹出口、風量設定情報としてが曇りが早く除去される風量または曇らない風量、例えば５段階のうちの３段目、および、空気取入口設定情報として外気を使用するという設定情報をＤＥＦ登録情報群として記憶する登録情報記憶手段１２ｂと、設定情報記憶手段１２ａに記憶された特定の設定情報を、登録情報記憶手段１２ｂに記憶されたＤＥＦ登録情報群から呼び出した設定情報に置換する処理をマイコン１３に実行させる指令信号をマイコン１３に出力するＤＥＦキー１８を備えている。つまり、ＤＥＦキー１８を押圧操作するだけで、デフロスタを行うためのカーエアコンの制御を実行することができる。これにより、デフロスタを行うためのカーエアコンの制御を簡単な操作で実行することができる。この結果、車載用設定装置の操作性の向上に貢献できる。
【００７６】
なお、本実施形態は、風量が「０」よりも大きいときに除湿装置が自動的に起動するカーエアコンに適用しているので、ＤＥＦ登録情報群を構成する設定情報に除湿装置を起動させるという設定情報を含ませていないが、本発明はこれに限るものではない。すなわち、除湿装置をキー操作などにより起動させるカーエアコンの場合には、ＤＥＦ登録情報群を構成する設定情報に除湿装置の起動させるという設定情報を含めるようにする。
【図面の簡単な説明】
【００７７】
【図１】本発明の一実施形態の外観の正面図であって液晶ディスプレイにＴＯＰ画面が表示された状態を示す図である。
【図２】本発明の車載用設定装置の一実施形態の構成を示すブロック図である。
【図３】本発明の一実施形態の設定入力操作を説明する図である。
【図４】本発明の一実施形態の外観の正面図であって液晶ディスプレイに登録画面が表示された状態を示す図である。
【符号の説明】
【００７８】
１      液晶ディスプレイ
１ａ    ＴＯＰ画面
１ｂ    登録画面
２      機器設定情報を表示する欄
３      トラック設定情報、ＦＭチャンネル設定情報またはＡＭチャンネル設定情報を表示する欄
４      音量設定情報を表示する欄
５      吹出口設定情報を表示する欄
６      風量設定情報を表示する欄
７      温度設定情報を表示する欄
８      ノブ
９      ロータリエンコーダ
１０    検出スイッチ
１１    ＴＯＰキー
１２    ＥＥＰＲＯＭ
１２ａ  設定情報記憶手段
１２ｂ  登録情報記憶手段
１３    マイコン（制御手段）
１５    第１登録キー
１６    第２登録キー
１７    第３登録キー
１８    ＤＥＦキー
１９    レックフレッシュ切替キー
【図１】
2005162056.tif 000003
【図２】
2005162056.tif 000004
【図３】
2005162056.tif 000005
【図４】
2005162056.tif 000006